(57)【要約】【課題】繊維強化プラスチック製の後付け式予旋回槽や架台の製作を不要にするとともに、マンホ−ル据付現場での据付作業を簡略化して据付作業の手間を削減することができるマンホールの底部構造を提供する。【解決手段】マンホール底体部２４は、ポンプＰ１，Ｐ２の吸込口１３を挿入する下向き凹んだ１対の予旋回部３Ａ，３Ｂと、マンホール１内に流入した汚水を予旋回部３Ａ，３Ｂに導いて該予旋回部３Ａ，３Ｂ内でポンプＰ１，Ｐ２の羽根車の回転方向Ｒ１と同じ方向Ｒ２の予旋回流を発生させる流入路４，５と、予旋回部３Ａ，３Ｂの一側に変位して設けた吐出曲管取付座６Ａ，６Ｂとを備えており、モルタルもしくはコンクリートの一体成形品によって構成されている。【選択図】        図２
2004270198.tif 000002
【特許請求の範囲】
【請求項１】
ポンプの吸込口を挿入する下向き凹んだ予旋回部と、マンホール内に流入した水を予旋回部に導いて予旋回流を発生させる流入路と、前記予旋回部の一側に変位して設けられて一端部が前記ポンプの吐出口に接続され、他端部が吐出管の入口に接続される吐出曲管を載置固定する吐出曲管取付座とを備えたマンホール底体部が一体成形品によって構成されていることを特徴とするマンホールの底部構造。
【請求項２】
前記マンホール底体部の周縁部に前記マンホールの周壁を載置接合可能な基礎周壁部が立ち上がっている請求項１に記載のマンホールの底部構造。
【発明の詳細な説明】
【０００１】
【発明の属する技術分野】
本発明は、汚水発生源と汚水処理場を結ぶ汚水流下配管系の適所に構築されるマンホールの底部構造に関する。
【０００２】
【従来の技術】
従来より、図５，図６，図７に示すように、汚水発生源と汚水処理場を結ぶ汚水流下配管系の適所に構築されるコンクリート製のマンホール１の底部に、繊維強化プラスチック製の後付け式予旋回槽２を設置したマンホールの底部構造がある（たとえば、特許文献１参照。）。
【０００３】
強化プラスチック製の後付け式予旋回槽２は、１対の予旋回部３Ａ，３Ｂと、流入路４，５と、１対の載置座６Ａ，６Ｂおよび汚水貯留部７を備えている。予旋回部３Ａ，３Ｂは、ポンプＰ１，Ｐ２の吸込口１３を挿入するためのもので、予旋回槽２における幅方向Ｗの中央部で長手方向にのびて設けられた仕切壁８の幅方向両側の領域のそれぞれにおいて、長手方向Ｌの一側に偏った位置に下向きに凹設されている。予旋回部３Ａには、汚水貯留部７の汚水が流入路４から接線方向またはこれに近い方向で導かれ、予旋回部３Ａ内でポンプＰ１の羽根車（図示省略）の回転方向Ｒと同じ方向Ｒ１に旋回する予旋回流を発生させる。また、予旋回部３Ｂには、汚水貯留部７の汚水が流入路５から接線方向またはこれに近い方向で汚水が導かれ、予旋回部３Ｂ内でポンプＰ２の羽根車（図示省略）の回転方向Ｒと同じ方向Ｒ１に旋回する予旋回流を発生させる。
【０００４】
１対の載置座６Ａ，６Ｂは、予旋回部３Ａ，３Ｂから長手方向の他側に偏った位置でマンホール１の中心部付近に設けられ、その頂部の高さは仕切壁８の上端とおなじレベルに設定されている。載置座６Ａには吐出曲管９Ａが載置され、載置座６Ｂには吐出曲管９Ｂが載置される。載置座６Ａに載置された吐出曲管９Ａは、載置座６Ａを介して架台１０Ａの上端部に固定され、載置座６Ｂに載置された吐出曲管９Ｂは、載置座６Ｂを介して架台１０Ｂの上端部に固定される。なお、載置座６Ａ，６Ｂを切欠しておき、これら切欠部に架台１０Ａ，１０Ｂの上端部を臨ませ、ここに直接吐出曲管９Ａ，９Ｂを取付ける構造のものもある。また、吐出曲管９Ａの一端部にポンプＰ１の吐出口が接続され、吐出曲管９Ａの他端部には吐出管１１Ａの下端部入口が接続されるとともに、吐出曲管９Ｂの一端部にポンプＰ２の吐出口が接続され、吐出曲管９Ｂの他端部には吐出管１１Ｂの下端部入口が接続される。
【０００５】
汚水貯留部７は、載置座６Ａ，６Ｂの長手方向Ｌの他側に垂直段差面１４を介して幅方向Ｗの全域にのびて設けられている。この汚水貯留部７は、長手方向Ｌの他端側から垂直段差面１４の下端にかけて下がり勾配に傾斜しており、垂直段差面１４の幅方向Ｗの両側で流入水路４，５に連通している。
【０００６】
架台１０Ａ，１０Ｂは、上部材１０ａと下部材１０ｂおよびこれら両部材を一体に結合する脚部材１０ｃを備えており、下部材１０ｂがマンホール１の底部材１Ｂに立設した４本のアンカーボルト１７，１７（ただし、図６には、２本のアンカーボルト１７，１７のみを示している）によって固定される。
【０００７】
架台１０Ａ，１０Ｂには、載置座６Ａ，６Ｂを介して予旋回槽２および吐出曲管９Ａ，９Ｂが支持される。このように、載置座６Ａ，６Ｂを介して架台１０Ａ，１０Ｂにより予旋回槽２を支持した状態で、予旋回槽２とマンホール１の底部材１Ｂの間に形成される空間に、モルタルもしくはコンクリート１８が打設される。また、予旋回部３Ａ，３Ｂの底部はアンカーボルト１９によってマンホール１の底部材１Ｂに固定される。
【０００８】
マンホール１の底部に予旋回槽２が設置されたのち、マンホール１の上端開口部１Ａからガイドワイヤまたはガイドパイプ２０，２０に沿ってポンプＰ１，Ｐ２を下降させ、ポンプＰ１の吐出口を吐出曲管９Ａの一端部に接続し、ポンプＰ２の吐出口を吐出曲管９Ｂの一端部に接続する。これにより、ポンプＰ１の吸込口１３は予旋回部３Ａに挿入され、ポンプＰ２の吸込口１３は予旋回部３Ｂに挿入される。また、吐出曲管９Ａの他端部には吐出管１１Ａの下端部入口が接続されるとともに、吐出曲管９Ｂの他端部には吐出管１１Ｂの下端部入口が接続される。吐出管１１Ａ，１１Ｂの上端部出口はヘッダー管２１を介してマンホール１外部の排水管２２に接続される。
【０００９】
このように、予旋回槽２を設置したマンホール１では、汚水流入管２３からマンホール１に汚水が流入して、水位がポンプＰ１，Ｐ２の運転開始水位ＨＷＬまで上昇すると、この水位ＨＷＬは水位検出手段（図示省略）によって検出され、この水位検出に基づいてポンプＰ１またはＰ２に運転開始信号を出力する。ポンプＰ１またはＰ２を交互に運転することにより、水位が予旋回槽２の上端レベルＬＷＬ１程度まで低下した後は、汚水貯留部７の汚水が流入路４または流入路５を通って予旋回部３Ａまたは３Ｂに流入し、該予旋回部３Ａ、３Ｂ内でポンプ羽根車の回転方向Ｒ１と同じ方向Ｒ２に予旋回する。このため、ポンプの吸込口１３の全周から効率よくスムーズに吸込むことができる。また、水に混入している砂などの固形物をポンプの吸込口１３の直下に集めることができるので、水とともに容易に排出することになり、予旋回部３Ａまたは３Ｂ内に沈砂などの固形物が残留・堆積するのを防止することができる。
【００１０】
【特許文献１】
特開２０００−２９１１１２号公報（図５，図６，図７）
【００１１】
【発明が解決しようとする課題】
ところが、従来のマンホールの底部構造は、繊維強化プラスチック製の後付け式予旋回槽２と、架台１０Ａ，１０Ｂと、予旋回槽２とマンホール１の底部材１Ｂの間に形成される空間に打設されたモルタルもしくはコンクリート１８との三者によって構成されている。このため、繊維強化プラスチック製の後付け式予旋回槽２や架台１０Ａ，１０Ｂを別途製作する必要があるばかりか、上端開口部１Ａからマンホール１内への予旋回槽２と架台１０Ａ，１０Ｂを搬入したのち、マンホール１内での予旋回槽２の組立や架台１０Ａ，１０Ｂの固定、予旋回槽２の取付けおよびモルタルもしくはコンクリート１８の打設などの作業が必要で、マンホ−ル据付現場での据付作業に手間がかかる。
【００１２】
本発明は、このような事情を考慮してなされたもので、繊維強化プラスチック製の後付け式予旋回槽や架台の製作を不要にするとともに、マンホ−ル据付現場での据付作業を簡略化して据付作業の手間を削減することができるマンホールの底部構造を提供することを目的としている。
【００１３】
【課題を解決するための手段】
前記目的を達成するために、請求項１に記載の発明に係るマンホールの底部構造は、ポンプの吸込口を挿入する下向き凹んだ予旋回部と、マンホール内に流入した水を予旋回部に導いて予旋回流を発生させる流入路と、前記予旋回部の一側に変位して設けられて一端部が前記ポンプの吐出口に接続され、他端部が吐出管の入口に接続される吐出曲管を載置固定する吐出曲管取付座とを備えたマンホール底体部が一体成形品によって構成されていることを特徴としている。
【００１４】
また、前記マンホール底体部の周縁部に前記マンホールの周壁を載置接合可能な基礎周壁部が立ち上がっていることが好ましい。
【００１５】
請求項１に記載の発明によれば、予旋回部と、流入路と、吐出曲管取付座とを備えたマンホール底体部が一体成形品によって構成されているので、単に、マンホール底体部をマンホールの底部材に装入設置することにより、繊維強化プラスチック製の後付け式予旋回槽や架台および打設用のモルタルもしくはコンクリートなどが無くても、マンホールの底部を構成して、マンホール内への流入水を流入路から予旋回部に流入させて予旋回させることができる。
【００１６】
請求項２に記載の発明によれば、マンホール底体部を据付けることで、該マンホール底体部がマンホールの底部材として作用する。したがって、マンホールの底部材が不要になるとともに、マンホール底体部をマンホールの底部材に装入設置する手間が省ける。
【００１７】
【発明の実施の形態】
以下、本発明の一実施の形態を図面に基づいて説明する。図１は本発明の一実施の形態を示す平面図、図２は図１のＤ−Ｄ線断面図，図３は図１のＥ−Ｅ線断面図である。なお、図５〜図７の従来例と同一もしくは相当部分には、同一符号を付して説明する。
【００１８】
図１〜図３において、マンホール底体部２４は、１対の予旋回部３Ａ，３Ｂと、流入路４，５と、１対の吐出曲管取付座６Ａ，６Ｂおよび汚水貯留部７を備え、モルタルもしくはコンクリートの一体成形品によって構成されており、マンホール１の底部材１Ｂに装入設置されている。
【００１９】
予旋回部３Ａ，３Ｂは、ポンプＰ１，Ｐ２の吸込口１３を挿入するためのもので、マンホール底体部２４における幅方向Ｗの中央部で長手方向にのびて設けられた仕切壁８の幅方向両側の領域のそれぞれにおいて、長手方向Ｌの一側に偏った位置に下向きに凹設されている。予旋回部３Ａには、汚水貯留部７の汚水が流入路４から接線方向またはこれに近い方向で導かれ、予旋回部３Ａ内でポンプＰ１の羽根車（図示省略）の回転方向Ｒと同じ方向Ｒ１に旋回する予旋回流を発生させる。また、予旋回部３Ｂには、汚水貯留部７の汚水が流入路５から接線方向またはこれに近い方向で汚水が導かれ、予旋回部３Ｂ内でポンプＰ２の羽根車（図示省略）の回転方向Ｒと同じ方向Ｒ１に旋回する予旋回流を発生させる。
【００２０】
１対の１対の吐出曲管取付座６Ａ，６Ｂは、予旋回部３Ａ，３Ｂから長手方向の他側に偏った位置でマンホール１の中心部付近に設けられ、その頂部の高さは仕切壁８の上端とおなじレベルに設定されている。一方の吐出曲管取付座６Ａには吐出曲管９Ａが載置されて、図示していないアンカーボルトなどによって強固に固定され、他方の吐出曲管取付座６Ｂには吐出曲管９Ｂが載置されて、図示していないアンカーボルトなどによって強固に固定される。また、吐出曲管９Ａの一端部にポンプＰ１の吐出口が接続され、吐出曲管９Ａの他端部には吐出管１１Ａの下端部入口が接続されるとともに、吐出曲管９Ｂの一端部にポンプＰ２の吐出口が接続され、吐出曲管９Ｂの他端部には吐出管１１Ｂの下端部入口が接続される。
【００２１】
汚水貯留部７は、吐出曲管取付座６Ａ，６Ｂの長手方向Ｌの他側に垂直段差面１４を介して幅方向Ｗの全域にのびて設けられている。この汚水貯留部７は、長手方向Ｌの他端側から垂直段差面１４の下端にかけて下がり勾配に傾斜しており、垂直段差面１４の幅方向Ｗの両側で流入水路４，５に連通している。
【００２２】
前記モルタルもしくはコンクリートの一体成形品によって構成されたマンホール底体部２４がマンホール１の底部材１Ｂに装入設置されたのちに、マンホール１の上端開口部１Ａからガイドワイヤまたはガイドパイプ２０，２０に沿ってポンプＰ１，Ｐ２を下降させ、ポンプＰ１の吐出口を吐出曲管９Ａの一端部に接続し、ポンプＰ２の吐出口を吐出曲管９Ｂの一端部に接続する。これにより、ポンプＰ１の吸込口１３は予旋回部３Ａに挿入され、ポンプＰ２の吸込口１３は予旋回部３Ｂに挿入される。また、吐出曲管９Ａの他端部には吐出管１１Ａの下端部入口が接続されるとともに、吐出曲管９Ｂの他端部には吐出管１１Ｂの下端部入口が接続される。吐出管１１Ａ，１１Ｂの上端部出口はヘッダー管２１を介してマンホール１外部の排水管２２に接続される。
【００２３】
このように、マンホール底体部２４が底部材１Ｂに装入設置されたマンホール１では、汚水流入管２３からマンホール１に汚水が流入して、水位がポンプＰ１，Ｐ２の運転開始水位ＨＷＬまで上昇すると、この水位ＨＷＬは水位検出手段（図示省略）によって検出され、この水位検出に基づいてポンプＰ１またはＰ２に運転開始信号を出力する。ポンプＰ１またはＰ２を交互に運転することにより、水位が予旋回槽２の上端レベルＬＷＬ１程度まで低下した後は、汚水貯留部７の汚水が流入路４または流入路５を通って予旋回部３Ａまたは３Ｂに流入し、該予旋回部３Ａ、３Ｂ内でポンプ羽根車の回転方向Ｒ１と同じ方向Ｒ２に予旋回する。このため、ポンプの吸込口１３の全周から効率よくスムーズに吸込むことができる。また、水に混入している砂などの固形物をポンプの吸込口１３の直下に集めることができるので、水とともに容易に排出することになり、予旋回部３Ａまたは３Ｂ内に沈砂などの固形物が残留・堆積するのを防止することができる。
【００２４】
また、予旋回部３Ａ、３Ｂと、流入路４，５と、吐出曲管取付座６Ａ，６Ｂとを備えたマンホール底体部２４がモルタルもしくはコンクリートの一体成形品によって構成されているので、単に、マンホール底体部２４をマンホール１の底部材１Ｂに装入設置することにより、図５〜図７の従来例で必要とされていた繊維強化プラスチック製の後付け式予旋回槽２や架台１０Ａ，１０Ｂおよび打設用のモルタルもしくはコンクリート１８などがが無くても、マンホール１の底部を構成して、マンホール１内に流入した汚水を流入路４，５から予旋回部３Ａ，３Ｂに流入させて、該予旋回部３Ａ，３Ｂ内でポンプ羽根車の回転方向Ｒ１と同じ方向Ｒ２に予旋回させることができる。このため、繊維強化プラスチック製の後付け式予旋回槽２や架台１０Ａ，１０Ｂの製作が不要になるとともに、マンホール１内への予旋回槽２と架台１０Ａ，１０Ｂを搬入したのち、マンホール１内での予旋回槽２の組立や架台１０Ａ，１０Ｂの固定、予旋回槽２の取付けおよびモルタルもしくはコンクリート１８の打設などの煩雑な作業が不要になるので、マンホ−ル据付現場での据付作業を簡略化して据付作業の手間を削減することができる。
【００２５】
一方、図４に示すように、マンホール底体部２４の周縁部に基礎周壁部２５が立ち上がっていることにより、該基礎周壁部２５にマンホール１の周壁２６を載置接合することによって、マンホール１を構築することができる。つまり、マンホール底体部２４がマンホール１の底部材１Ｂとして作用する。したがって、マンホール１の底部材１Ｂが不要になるとともに、マンホール底体部２４をマンホール１の底部材１Ｂに装入設置する手間を省くことができる。
【００２６】
【発明の効果】
以上説明したように、本発明に係るマンホールの底部構造は構成されているので、以下のような格別の効果を奏する。
【００２７】
請求項１に記載の発明によれば、予旋回部と、流入路と、吐出曲管取付座とを備えたマンホール底体部が一体成形品によって構成されているので、単に、マンホール底体部をマンホール１の底部材に装入設置することによりマンホールの底部を構成できるので、繊維強化プラスチック製の後付け式予旋回槽や架台の製作が不要になるとともに、マンホール内への予旋回槽とを搬入したのち、マンホール内での予旋回槽の組立や架台の固定、予旋回槽の取付けおよびモルタルもしくはコンクリートの打設などの煩雑な作業が不要になるので、マンホ−ル据付現場での据付作業を簡略化して据付作業の手間を削減することができる。
【００２８】
請求項２に記載の発明によれば、基礎周壁部にマンホールの周壁を載置接合することによって、マンホールを構築することができるので、マンホール底体部がマンホールの底部材として作用する。したがって、マンホールの底部材が不要になるとともに、マンホール底体部をマンホールの底部材に装入設置する手間を省くことができる。
【図面の簡単な説明】
【図１】本発明の一実施の形態を示す平面図である。
【図２】図１のＤ−Ｄ線断面図である。
【図３】図１のＥ−Ｅ線断面図である。
【図４】本発明の他の実施の形態を示す図２に相当する断面図である。
【図５】従来例の平面図である。
【図６】図５のＡ−Ａ線断面図である。
【図７】図５のＢ−Ｂ線断面図である。
【符号の説明】
１  マンホール
３Ａ  予旋回部
３Ｂ  予旋回部
４  流入路
５  流入路
６Ａ  吐出曲管取付座
６Ｂ  吐出曲管取付座
９Ａ  吐出曲管
９Ｂ  吐出曲管
１３  ポンプの吸込口
２４  マンホール底体部
２５  基礎周壁部
２６  マンホールの周壁
Ｐ１  ポンプ
Ｐ２  ポンプ
Ｒ１  ポンプ羽根車の回転方向
Ｒ２  予旋回流の回転方向
【図１】
2004270198.tif 000003
【図２】
2004270198.tif 000004
【図３】
2004270198.tif 000005
【図４】
2004270198.tif 000006
【図５】
2004270198.tif 000007
【図６】
2004270198.tif 000008
【図７】
2004270198.tif 000009